(57)【要約】【課題】多数の単管パイプを吊り上げる際の荷崩れを防止することができ、ひいては玉掛け作業における安全性及び操作性を向上することができる単管パイプ保持具を提供する。【解決手段】多数の単管パイプＰをまとめて保持するための単管パイプ保持具１は、多数の単管パイプＰを束ねた状態で環状に包囲するように収容空間Ｃを形成する複数の内側縁辺部１１ａ〜１１ｃ，１２ａ〜１２ｃと、多数の単管パイプＰを収容空間Ｃに出し入れ可能な開口部１３とを有する。複数の内側縁辺部１１ａ〜１１ｃ，１２ａ〜１２ｃのうち開口部１３に隣接する第３の内側縁辺部１１ｃ，１２ｃは、下方に延びるにつれて収容空間Ｃの横幅を拡張するように傾斜状に形成されているとともに、収容空間Ｃの下側を形成する第１の内側縁辺部１１ａ，１２ａも、上方に延びるにつれて収容空間Ｃの横幅を拡張するように傾斜状に形成されている。【選択図】図２
0003233460.tif 000002
【実用新案登録請求の範囲】
【請求項１】
複数の単管パイプをまとめて保持するための単管パイプ保持具であって、
前記複数の単管パイプを束ねた状態で環状に包囲するように収容空間を形成する複数の内側縁辺部と、
前記複数の単管パイプを前記収容空間に出し入れ可能とするように当該収容空間の上部に形成される開口部と、を有し、
前記複数の内側縁辺部のうち前記開口部に隣接する内側縁辺部は、下方に延びるにつれて前記収容空間の横幅を拡張するように傾斜状に形成されていることを特徴とする、単管パイプ保持具。
【請求項２】
前記複数の内側縁辺部のうち前記収容空間の下側を形成する内側縁辺部は、上方に延びるにつれて前記収容空間の横幅を拡張するように傾斜状に形成されていることを特徴とする、請求項１に記載の単管パイプ保持具。
【請求項３】
前記収容空間は、前記複数の内側縁辺部として少なくとも４以上の内側縁辺部により多角形状に形成されることを特徴とする、請求項１又は２に記載の単管パイプ保持具。
【考案の詳細な説明】
【技術分野】
【０００１】
本考案は、例えば多数の単管パイプをまとめて吊り上げる際に保持することが可能な単管パイプ保持具に関する。
【背景技術】
【０００２】
例えば、多数の単管パイプをまとめて吊り上げる玉掛け作業においては、これら多数の単管パイプの外側を囲うように四角形状の棒材収納具を使用することが提案されている（例えば、特許文献１参照）。この棒材収納具によれば、多数の単管パイプが概ね四角形状に集束した集合体となり、この集合体の外側に玉掛け用のロープ等といった玉掛用具を掛けることで多数の単管パイプが吊り上げられる。
【先行技術文献】
【特許文献】
【０００３】
【特許文献１】特開平８−２４６６６５号公報
【考案の概要】
【考案が解決しようとする課題】
【０００４】
しかしながら、上記従来の棒材収納具では、多数の単管パイプが四角形状に集束させられる一方、集束した集合体の外周に対して玉掛け用のロープ等が湾曲しながら当接しやすく、このロープ等の当接箇所では多数の単管パイプが円弧状に集束しがちになる。そのため、玉掛用具を介した吊り上げ時、多数の単管パイプが荷崩れを起こすおそれがあり、玉掛け作業における安全性及び操作性の面において難点があった。
【０００５】
本考案は、上記の点に鑑みてなされたものであり、多数の単管パイプを吊り上げる際の荷崩れを防止することができ、ひいては玉掛け作業における安全性及び操作性を向上することができる単管パイプ保持具を提供することを目的とする。
【課題を解決するための手段】
【０００６】
（１）
複数の単管パイプをまとめて保持するための単管パイプ保持具であって、
前記複数の単管パイプを束ねた状態で環状に包囲するように収容空間を形成する複数の内側縁辺部と、
前記複数の単管パイプを前記収容空間に出し入れ可能とするように当該収容空間の上部に形成される開口部と、を有し、
前記複数の内側縁辺部のうち前記開口部に隣接する内側縁辺部は、下方に延びるにつれて前記収容空間の横幅を拡張するように傾斜状に形成されていることを特徴とする、単管パイプ保持具。
【０００７】
（１）の考案において、単管パイプ保持具は、複数の単管パイプをまとめて保持するためのものであり、複数の内側縁辺部と、開口部とを有する。
複数の内側縁辺部は、複数の単管パイプを束ねた状態で環状に包囲するように収容空間を形成する。
開口部は、複数の単管パイプを収容空間に出し入れ可能とするように当該収容空間の上部に形成される。
そして、複数の内側縁辺部のうち開口部に隣接する内側縁辺部は、下方に延びるにつれて収容空間の横幅を拡張するように傾斜状に形成されている。
【０００８】
（１）の考案によれば、収容空間に収められた複数の単管パイプのうち開口部に近い上方で外側に位置する複数のものについては、開口部に隣接する傾斜状の内側縁辺部に沿って集束した形態となり、玉掛用具によって円弧状に集束する形態と幾何学的に近似した形態になる。すなわち、複数の単管パイプが集束した集合体の少なくとも上方外側が概ね円弧状に揃えられるので、玉掛用具を介して多数の単管パイプを吊り上げる際の荷崩れを防止することができる。
【０００９】
（２）
前記複数の内側縁辺部のうち前記収容空間の下側を形成する内側縁辺部は、上方に延びるにつれて前記収容空間の横幅を拡張するように傾斜状に形成されていることを特徴とする、（１）に記載の単管パイプ保持具。
【００１０】
（２）の考案によれば、収容空間の下方で外側に位置する複数の単管パイプについても、傾斜状の内側縁辺部に沿って集束した形態となり、玉掛用具によって円弧状に集束する形態と幾何学的に近似した形態になる。これにより、複数の単管パイプが集束した集合体の下方外側も含めて集合体全体が概ね円形状に纏まるので、玉掛用具を介して多数の単管パイプを吊り上げる際の荷崩れを確実に防止することができる。
【００１１】
（３）
前記収容空間は、前記複数の内側縁辺部として少なくとも４以上の内側縁辺部により多角形状に形成されることを特徴とする、（１）又は（２）に記載の単管パイプ保持具。
【００１２】
（３）の考案によれば、４角より多い５角以上の多角形状の収容空間によって複数の単管パイプを集束することができるので、その角数をできる限り多くすることによって単管パイプの集合体全体をより円形状に近づけることができ、荷崩れしにくい集合体とすることができる。
【考案の効果】
【００１３】
本考案によれば、多数の単管パイプを吊り上げる際の荷崩れを防止することができ、ひいては玉掛け作業における安全性及び操作性を向上することができる単管パイプ保持具を提供することができる。
【図面の簡単な説明】
【００１４】
【図１】本考案の一実施形態に係る単管パイプ保持具の使用例を示す斜視図である。
【図２】本考案の一実施形態に係る単管パイプ保持具の正面図である。
【図３】本考案の他の実施形態に係る単管パイプ保持具の正面図である。
【考案を実施するための形態】
【００１５】
以下、本考案の実施形態を図面に基づいて説明する。以下の説明において、同一又は類似の構成には同一の符号を付し、その説明を省略又は簡略化する。
【００１６】
図１は、本考案の一実施形態に係る単管パイプ保持具１の使用例を示す斜視図、図２は、単管パイプ保持具１の正面図である。図１に示すように、本実施形態の単管パイプ保持具１は、多数の単管パイプＰが集束した集合体の外側に玉掛け用のロープ等といった玉掛用具Ｓを掛けて吊り上げる際、玉掛用具Ｓの内側で集合体の両端側に一対の組として配置して使用されるものであり、その集合体の正面視外形が吊り上げに適した形状となるように多数の単管パイプＰをまとめて保持するためのものである。なお、本実施形態においては、一例として外径４８．６ｍｍの単管パイプＰが適用され、この単管パイプＰに適した単管パイプ保持具１として説明する。
【００１７】
図２に示すように、単管パイプ保持具１は、金属製の部材であり、底板部１０と、左右一対の側板部１１，１２と、台面部２０とを備える。底板部１０は、側板部１１，１２の下端に一体的につながっており、所定数の単管パイプＰを底側で保持可能な所定の強度をもつ厚みや幅寸法を有する。側板部１１，１２は、所定数の単管パイプＰを左右両側で保持可能な所定の強度をもち、底板部１０と同程度の厚みや幅寸法を有する。これら底板部１０と側板部１１，１２との間には、所定数の単管パイプＰを束ねた状態で環状に包囲することが可能な収容空間Ｃが形成される。収容空間Ｃの上部となる側板部１１，１２の上端部どうしの間には、単管パイプＰを収容空間Ｃに出し入れ可能とするように開口部１３が形成される。図１に示すように、開口部１３には、収容空間Ｃに収められた単管パイプＰが不用意に飛び出さないように金具あるいはベルト等の止め部材２が取り付けられる。なお、図２においては、止め部材２を図示省略している。
【００１８】
底板部１０の下部には、地面等に据え置くことが可能に底板部１０より長大の台面部２０が設けられている。図２に示すように、底板部１０の収容空間Ｃに臨む底側の内側縁辺部１０ａは、例えば７本の単管パイプＰを隙間なく並べて置くことが可能な横幅寸法を有する。
【００１９】
側板部１１，１２は、図２に示すように、互いに左右対称の形状に形成されている。側板部１１，１２の夫々は、収容空間Ｃに臨む第１〜第３の内側縁辺部１１ａ〜１１ｃ，１２ａ〜１２ｃを有する。第１の内側縁辺部１１ａ，１２ａは、収容空間Ｃの下方に位置し、第２の内側縁辺部１１ｂ，１２ｂは、収容空間Ｃの中間に位置し、第３の内側縁辺部１１ｃ，１２ｃは、開口部１３に隣接するように収容空間Ｃの上方に位置する。
【００２０】
第１の内側縁辺部１１ａ，１２ａは、底側の内側縁辺部１０ａの左右両端から第２の内側縁辺部１１ｂ，１２ｂへとつながり、上方へと延びるにつれて収容空間Ｃの横幅を漸次拡張するように傾斜状に形成されている。第２の内側縁辺部１１ｂ，１２ｂは、第１の内側縁辺部１１ａ，１２ａの上端から上方へと真っ直ぐ延びて第３の内側縁辺部１１ｃ，１２ｃへとつながり、収容空間Ｃの最大横幅を規定するように鉛直状に形成されている。第３の内側縁辺部１１ｃ，１２ｃは、第２の内側縁辺部１１ｂ，１２ｂの上端から開口部１３の左右両端まで延び、下方へと延びるにつれて収容空間Ｃの横幅を漸次拡張するように傾斜状に形成されている。
【００２１】
第１〜第３の内側縁辺部１１ａ〜１１ｃ，１２ａ〜１２ｃの具体的な寸法としては、次のようになっている。なお、第１〜第３の内側縁辺部１２ａ〜１２ｃの寸法は、第１〜第３の内側縁辺部１１ａ〜１１ｃの寸法と同一であるため図中においては省略している。図２に示すように、第１の内側縁辺部１１ａ，１２ａは、横寸法Ｘ１が１１３ｍｍ程度に対して縦寸法Ｙ１が１８８ｍｍ程度となる勾配で上方にいくほど広がるように傾斜している。第２の内側縁辺部１１ｂ，１２ｂは、縦寸法Ｙ２が９２ｍｍ程度でまっすぐ上方に延びている。第３の内側縁辺部１１ｃ，１２ｃは、横寸法Ｘ３が１０６．５ｍｍ程度に対して縦寸法Ｙ３が１９５ｍｍ程度となる勾配で上方にいくほど狭まるように傾斜している。
【００２２】
このような底側の内側縁辺部１０ａと第１〜第３の内側縁辺部１１ａ〜１１ｃ，１２ａ〜１２ｃとによれば、収容区間Ｃが正面視で８角形をなすように環状に囲われ、この収容空間Ｃには、下方から７本、８本、９本、１０本、１１本、１０本、１１本、１０本、９本、８本、７本の順にちょうど合計１００本の単管パイプＰが層をなすように集束される。
【００２３】
このような本実施形態の単管パイプ保持具１を用いて多数の単管パイプＰを玉掛けにより吊り上げる際には、８角形状の収容区間Ｃに１００本の単管パイプＰの両端側を集束した形態としつつ、単管パイプＰの中間部を玉掛用具Ｓによって円弧状に集束した形態で吊り上げることができる。その際、収容区間Ｃにおける多数の単管パイプＰは、８角形状に纏まって集束した集合体形態となるとともに、玉掛用具Ｓに束縛された多数の単管パイプＰは、円形状に纏まって集束した集合体形態となり、これらの集合体形態は、幾何学的に近似した形態になる。つまり、多数の単管パイプＰが集束した集合体が単管パイプ保持具１によって概ね円形状に纏まるので、玉掛用具Ｓを介して多数の単管パイプＰを吊り上げる際には、これら単管パイプＰの荷崩れを確実に防止することができる。
【００２４】
また、底側の内側縁辺部１０ａと第１〜第３の内側縁辺部１１ａ〜１１ｃ，１２ａ〜１２ｃといった少なくとも４以上の内側縁辺部により収容空間Ｃが多角形状に形成され、４角より多い８角形状の収容空間Ｃによって多数の単管パイプＰを概ね円形状に集束することができるので、その角数をできる限り多くすることで単管パイプＰの集合体全体を荷崩れしにくい形態で保持することができる。さらに、玉掛用具Ｓの内側に単管パイプ保持具１を配置することにより、単管パイプ保持具１が吊り上げ時に落下することを防止することができる。
【００２５】
他の実施形態としては、図３に示すように、６角形状の収容空間Ｃ’をもつ単管パイプ保持具１’でもよい。同図に示すように、側板部１１’，１２’においては、鉛直状に延びる第２の内側縁辺部がなく、第１の内側縁辺部１１ａ’，１２ａ’は、第３の内側縁辺部１１ｃ’，１２ｃ’へと直接つながっている。第１の内側縁辺部１１ａ’，１２ａ’は、上方へと延びるにつれて収容空間Ｃ’の横幅を漸次拡張するように傾斜状に形成されている。第３の内側縁辺部１１ｃ’，１２ｃ’は、下方へと延びるにつれて収容空間Ｃ’の横幅を漸次拡張するように傾斜状に形成されている。つまり、第１の内側縁辺部１１ａ’，１２ａ’は、上方にいくほど広がるように傾斜している。第３の内側縁辺部１１ｃ’，１２ｃ’は、上方にいくほど狭まるように傾斜している。
【００２６】
このような第１、第３の内側縁辺部１１ａ’，１１ｃ’、１２ａ，１２ｃによっても、収容区間Ｃ’が正面視で４角形より多い６角形をなすように環状に囲われ、この収容空間Ｃ’には、下方から６本、７本、８本、９本、８本、７本、６本の順に合計５１本の単管パイプＰが層をなすように集束される。
【００２７】
このような他の実施形態の単管パイプ保持具１’を用いて多数の単管パイプＰを玉掛けにより吊り上げる際においても、６角形状の収容区間Ｃ’に５１本の単管パイプＰを集束した形態としつつ、これら単管パイプＰの集合体を玉掛用具Ｓによって円弧状に集束した形態で吊り上げることができる。その際、収容区間Ｃ’における多数の単管パイプＰは、６角形状に纏まって集束した集合体形態となるとともに、玉掛用具Ｓに束縛された多数の単管パイプＰは、円形状に纏まって集束した集合体形態となり、これらの集合体形態は、幾何学的に近似した形態になる。つまり、単管パイプ保持具１’を用いた場合も、多数の単管パイプＰが集束した集合体が単管パイプ保持具１’によって概ね円形状に纏まるので、玉掛用具Ｓを介して多数の単管パイプＰを吊り上げる際に荷崩れを効果的に防止することができる。
【００２８】
なお、本考案は、上記の実施形態に限定されるものではない。
【００２９】
上記実施形態においては、一例として８角形状の収容空間Ｃや６角形状の収容空間Ｃ’を形成するものとしたが、他の例として５角形状あるいは１２角形状の収容空間を形成するようにしてもよい。
【符号の説明】
【００３０】
１，１’                                単管パイプ保持具
１０                                    底板部
１０ａ                                  内側縁辺部
１１，１２，１１’，１２’              側板部
１１ａ〜１１ｃ，１２ａ〜１２ｃ          第１〜第３の内側縁辺部
１１ａ’，１１ｃ’，１２ａ’，１２ｃ’  第１、第３の内側縁辺部
１３                                    開口部
Ｃ，Ｃ’                                収容空間
Ｐ                                      単管パイプ
【図１】
0003233460.tif 000003
【図２】
0003233460.tif 000004
【図３】
0003233460.tif 000005